(57)【要約】    【課題】  床下地パネル継ぎ部の段差、隙間等の変位を抑制できるため、継ぎ部を跨りその上に敷設される床仕上材の割れ、そり、凹凸変形を防止でき、特に弾力性に乏しい大理石、御影石その他天然石タイル、窯業タイル等無機タイルにおいても割れを発生することがなく、しかも捨貼合板が不要のためホルムアルデヒド揮散による住環境への悪影響を排除しえる床仕上構造と床仕上方法を提供する。    【解決手段】  複数の床下地パネルを連続敷設して形成した床基部と、前記床下地パネルの継ぎ部を覆い、前記床基部の表面に接着されたメッシュテープと、前記床基部上に複数の床仕上板を連続敷設して形成した床仕上部とを具えることを特徴とする床仕上構造と、これを形成する床仕上方法であって、複数の床下地パネルを連続敷設し、床基部を形成する工程と、前記床下地パネルの継ぎ部を覆うメッシュテープを、前記床基部の表面に接着する工程と、前記継ぎ部を含め、床基部上に複数の床仕上板を連続して敷設することにより床仕上部を形成する工程とを含むことを特徴とする床仕上方法。【選択図】  図１
2005090050.tif 000002
【特許請求の範囲】
【請求項１】
複数の床下地パネルを連続敷設して形成した床基部と、
前記床下地パネルの継ぎ部を覆い、前記床基部の表面に接着されたメッシュテープと、  前記床基部上に複数の床仕上板を連続敷設して形成した床仕上部とを具えることを特徴とする床仕上構造。
【請求項２】
前記メッシュテープは、補強糸とこれに直交するたて糸とで形成され、前記補強糸が前記床下地パネルの継ぎ部に直交する方向に配置されることを特徴とする請求項１記載の床仕上構造。
【請求項３】
請求項１の床仕上構造を形成する床仕上方法であって、
複数の床下地パネルを連続敷設し、床基部を形成する工程と、
前記床下地パネルの継ぎ部を覆うメッシュテープを、前記床基部の表面に接着する工程と、
前記継ぎ部を含め、床基部上に複数の床仕上板を連続して敷設することにより床仕上部を形成する工程とを含むことを特徴とする床仕上方法。
【請求項４】
前記メッシュテープは、補強糸とこれに直交するたて糸とで形成され、前記補強糸が前記床下地パネルの継ぎ部に直交する方向に前記メッシュテープを配置することを特徴とする請求項３記載の床仕上方法。
【発明の詳細な説明】
【技術分野】
【０００１】
本発明は、床下地パネルを連続敷設した床基部上に、床仕上板を敷設した床仕上構造と、この床仕上構造を形成する床仕上方法に関する。
【背景技術】
【０００２】
近年、床、壁、屋根、天井などの構造部分を、予め工場で生産した一体可般のパネル体を用いて形成し、施工性の向上、品質の安定化などを図る工業化建築が普及している。特に床下地パネルは、形状の種類が比較的少なく、かつ開口が殆どない等、前記パネル化による効果が大きい。
【０００３】
しかし、床下空間は外気に連通するとともに時期により多湿となり、木材、合板、パーティクルボード、金属等床下地パネルを構成する材料の熱、含水率変化による伸縮、反り、又は地震、交通振動その他による建造物躯体の動きが原因で、床下地パネルの継ぎ部に段差、隙間が発生して、床下地パネルの継ぎ部を跨がり敷設される木質フロア、プラスチックタイルその他床仕上板に割れ、反り、凹凸変形を生じることが多い。特に、大理石、御影石その他天然石タイル、窯業タイル等は、高意匠、重厚感を具える反面、弾力性に乏しいため割れを生じ易く、見栄えを悪くし、頻繁な補修工事を必要としている。
【０００４】
この防止策として、隣り合う床下地パネルの木材からなる枠体相互を接着することにより一体化を図ることが考えられるが、材料収縮時等の過度な応力により枠体に部分的な破断をまねくことがある。また鉄材からなるパネル枠体に対して、相互を溶接することが考えられるが、パネル工法における家屋等の施工現場で、溶接機の使用は作業性を著しく低下させ、専門熟練工を必要とするなど建築コスト面からも困難を伴う。
【０００５】
また、縫い釘、ジョイント金物等で隣り合う床下地パネルの枠体相互を接合することも考えられるが、作業性を低下させ、かつ接合箇所の中間部で前記変形が発生し、またこの中間部の変形防止のために、接合ピッチを細かく設定すると多大な時間とコストを要する。
【０００６】
そこで、図６に示すように、床梁ａ上に連続敷設した床下地パネルｂの上面全体に、その継ぎ部ｃを跨る状態で厚さが９〜３０ｍｍ程度の捨貼り合板ｄを接着することにより、継ぎ部ｃの前記変形を抑制し、これにより床仕上板ｅの応力発生を防止する工法が用いられている。
（例えば特許文献１参照）。
【０００７】
【特許文献１】特開２００１−４９８４５号公報（請求項１、図１）
【発明の開示】
【発明が解決しようとする課題】
【０００８】
しかしながら、前記捨貼り合板ｄはホルムアルデヒドを含有するため、これが空中揮散して、近年特に新築家屋において問題視されているシックハウス症候群を引起す恐れが高く、特に比較的表面積の大きな床に使用されるとその影響は大きく、さらには床仕上板ｅで表面を覆われるため前記揮散が長期間に亘る可能性がある。
【０００９】
本発明は、以上のような問題点に鑑み案出なされたもので、床下地パネル構成材料の伸縮、反り、又は建造物躯体の動きに起因した、床下地パネル間の段差、隙間等の変位を抑制することにより、大理石、御影石その他天然石タイル、窯業タイル等無機タイルを含む床仕上板の割れ、そり、凹凸変形を防止し、かつホルムアルデヒド揮散による住環境への悪影響を排除できる床仕上構造及びこれを形成する床仕上方法の提供を目的とする。
【課題を解決するための手段】
【００１０】
本発明のうち請求項１記載の発明は、複数の床下地パネルを連続敷設して形成した床基部と、前記床下地パネルの継ぎ部を覆い、前記床基部の表面に接着されたメッシュテープと、前記床基部上に複数の床仕上板を連続敷設して形成した床仕上部とを具えることを特徴とする床仕上構造である。
【００１１】
床下地パネルの継ぎ部を覆い、前記床基部の表面に接着されたメッシュテープにより、木材、合板、パーティクルボード、金属等床下地パネルを構成する材料の熱、含水率変化による伸縮、反り、又は地震、交通振動その他による建造物躯体の動きに起因して床下地パネルの継ぎ部で発生する段差、隙間等を抑制し、継ぎ部を跨りその上に敷設する床仕上材の割れ、そり、凹凸変形を防止する。特に弾力性に乏しい大理石、御影石その他天然石タイル、窯業タイル等無機タイルにおいても割れを生じることがなく、また捨貼合板が不要のため、合板が含有するホルムアルデヒド揮散による住環境への悪影響を排除しえる。
【００１２】
請求項２記載の発明は、前記メッシュテープは、補強糸とこれに直交するたて糸とで形成され、前記補強糸が前記床下地パネルの継ぎ部に直交する方向に配置されることにより、床下地パネル間の段差、隙間等の変位を効果的に抑制し、床仕上材の割れ防止効果を一層高めることができる。
請求項３記載の発明は、請求項１の床仕上構造を形成する床仕上方法であって、複数の床下地パネルを連続敷設し、床基部を形成する工程と、前記床下地パネルの継ぎ部を覆うメッシュテープを、前記床基部の表面に接着する工程と、前記継ぎ部を含め、床基部上に複数の床仕上板を連続して敷設することにより床仕上部を形成する工程とを含むことを特徴とし、請求項４では、前記メッシュテープは、補強糸とこれに直交するたて糸とで形成され、前記補強糸が前記床下地パネルの継ぎ部に直交する方向に前記メッシュテープを配置することを特徴とする。
【発明の効果】
【００１３】
上述したように、本発明の床仕上構造は、床下地パネルの継ぎ部の表面をメッシュテープで覆うことにより、床下地パネル継ぎ部の段差、隙間等の変位を抑制できるため、継ぎ部を跨りその上に敷設される床仕上材の割れ、そり、凹凸変形を防止でき、特に弾力性に乏しい大理石、御影石その他天然石タイル、窯業タイル等無機タイルにおいても割れを発生することがなく、しかも捨貼合板が不要のためホルムアルデヒド揮散による住環境への悪影響を排除しうる。
【００１４】
また、本発明の床仕上方法は、床仕上板の割れ、そり、凹凸変形を防止できるとともに住環境を良好に維持でき、しかも床下地パネル間の隙間等を前記メッシュテープが覆うため、床仕上板の敷設作業を容易に行なうことができる。
【発明を実施するための最良の形態】
【００１５】
以下本発明の実施の一形態を図面に基づき説明する。本発明の床仕上構造１は、図１、２に示すように、複数の床下地パネル２を連続敷設して形成した床基部３と、前記床下地パネル２の継ぎ部４を覆い、前記床基部３の表面に接着されたメッシュテープ５と、前記床基部３上に複数の床仕上板６を連続敷設して形成した床仕上部７とを具える。
【００１６】
前記床下地パネル２は、図１に示すように、断面矩形の木質かつ長尺の平行な一対の縦枠２１、２１の両端間に、断面矩形の木質かつ短尺の横枠２２、２２を架け渡した矩形のパネル枠２３を具える。
【００１７】
なお同高に形成された縦枠２１と横枠２２は、各上面を揃えて縦枠２１の側縁から打入される釘等の固着具により接合される。このようにいわゆる横枠２２に対して縦枠２１勝ちの構成とすることにより、仮枠組みと一定方向の釘打ちによる固定作業を簡易化しうる。
【００１８】
さらに、横枠２２、２２の長さ方向中間部は、縦枠２１と平行かつ長尺の中枠２４により連結されるとともに、縦枠２１と中枠２４間には前記横枠２２に平行な短尺の補助材２５が隔設され、この中枠２４と補助材２５によって前記パネル枠２３を補強している。
【００１９】
前記パネル枠２３の上面には、押出セメント板、ハニカム補強鋼製パネル、パーティクルボード等を用いた矩形状の面材２６が接着、ビス打ちその他で添着される。なお面材２６はパネル枠２３と同大に形成され、面材２６、パネル枠２３の外周側面は面一に揃う。
【００２０】
またパネル枠２３内の空間に、断熱機能を高めるため、矩形状のグラスウール、ロックウール、発泡フェノール、発泡ポリエチレン、発泡ポリスチレン等の断熱材２７を装填し、この他床暖房用の温水管を配設することもある。
【００２１】
前記床下地パネル２は、図１に示すように、布基礎２８に端部を支持される鋼製の大引２９に載置されかつボルト、取付金具等を用いて固定し、図２に示すように、平面矩形状の複数の床下地パネル２を縦横隙間無く連続敷設することにより、水平な床基部３が形成される。そして該床基部３に、隣接する床下地パネル２間の境界線よりなる継ぎ部４が形成される。
【００２２】
前記大引き２９は、垂直なウェブ２９Ａの上下に水平なフランジ２９Ｂ、２９Ｃを設けたリップ付き溝形鋼からなり、両端部が布基礎２８のアンカーボルト（図示せず）に固定された取付金具３０により取付られる。また、この大引き２９は床下地パネル２の長さと略同ピッチで隔設され、床下地パネル２の両端部を支持する。
【００２３】
前記床基部３の継ぎ部４はメッシュテープ５で覆われ、かつ該メッシュテープ５はアクリル樹脂系エマルジョン系接着剤、合成ゴム系ラテックス型接着剤、ポリウレタン系接着剤、エポキシ系接着剤その他を用いて床基部３に接着されている。このため、前記継ぎ部４を介して隣接する双方の床下地パネル２は、前記メッシュテープ５及びこれを接着する接着層により強く連結、一体化して、段差、隙間等の発生が抑制される。
【００２４】
前記メッシュテープ５は、本例では、図３に示すように、補強糸８とたて糸９とからなり、テープの巾方向に平行で、かつ一定間隔で並ぶ補強糸８を、これに直交するたて糸９で連結して形成されている。前記補強糸８は高強度、高弾性率繊維が用いられるため補強効果が大きく、図３に示すように、前記補強糸８が前記床基部３の継ぎ部４に直交する方向に配置されているため、床下地パネル２間の段差、隙間等の変位を効果的に抑制し、床仕上板６の割れ防止効果を一層高めることができる。
【００２５】
前記補強糸８はガラス繊維、ビニロン繊維、炭素繊維、アラミド繊維等を用い、たて糸９はウレタン繊維、ナイロン繊維、ポリエステル繊維等を用いる。また図４に示すように、本例では、たて糸９を形成する繊維の間を補強糸８が貫挿することにより、メッシュテープ５を網状に成形しているが、平織り、綾織、平畳織等種々な構造で形成することができる。さらにメッシュテープ５に不飽和ポリエステル樹脂、エポキシ樹脂等の樹脂を塗布含浸することにより、剛性を高めることが取扱い上好ましい。
【００２６】
前記補強糸８はその外径を通常０．０５ｍｍ〜３ｍｍ、好ましくは０．２ｍｍ〜１ｍｍ、本例では０．７ｍｍとし、そのピッチＰ２を通常１ｍｍ〜１５ｍｍ、好ましくは３ｍｍ〜７ｍｍ、本例では５ｍｍとしている。他方前記たて糸９はその外径を通常０．０２ｍｍ〜２ｍｍ、好ましくは０．０８ｍｍ〜０．８ｍｍ、本例では０．４ｍｍとし、そのピッチＰ１を通常３ｍｍ〜２０ｍｍ、好ましくは５ｍｍ〜１０ｍｍ、本例では７ｍｍとしている。
【００２７】
前記メッシュテープ５は、巾（補強糸８の長さ方向）が、通常１０ｃｍ〜３０ｃｍ、好ましくは１５ｃｍ〜２０ｃｍ、本例では１８ｃｍの帯状に成形又は切断して形成される。そして、床下地パネル２間の前記連結効果を高めるため、メッシュテープ５は、図３に示すように、その巾方向の中心が、床下地パネル２の継ぎ部４に略重なる位置で該継ぎ部４を覆うことが好ましい。
【００２８】
また、図２に示すように、平面視長方形状の床下地パネル２の長辺が形成する継ぎ部４Ａを連続的にメッシュテープ５で被覆接着し、この継ぎ部４Ａの間で床下地パネル２の短辺が形成する継ぎ部４Ｂをメッシュテープ５で被覆接着することにより、床下地パネル２間に形成される縦横の継ぎ部４を隙間無く覆うことができる。
【００２９】
また、メッシュテープ５は、補強糸８とたて糸９に同種類の繊維を用い、補強糸８の外径Ｄ２とたて糸９の外径Ｄ１の比Ｄ２／Ｄ１を、例えば１．５〜５程度とし、又は／及び前記補強糸８のピッチＰ２とたて糸９のピッチＰ１の比Ｐ２／Ｐ１を例えば０．２〜０．７程度に形成することにより補強糸８方向の引張強度を大とする変形も可能である。
【００３０】
前記床仕上部７は、前記メッシュテープ５を被覆接着した継ぎ部４を含め、床基部３上に複数の床仕上板６を連続敷設して形成される。なお床仕上板６間の境界が前記床下地パネル２の継ぎ部４に重なることのないように、床仕上板６を配置割付することが好ましい。
【００３１】
前記床仕上板６は、矩形薄板状をなし、木質化粧フロアー板、プラスチック化粧床板、大理石、御影石その他天然石タイル、窯業タイル等が含まれる。また木質の床仕上板６は、側部に相欠矧ぎ、実矧ぎ等仕口加工が施され、隣接する床仕上板６が係合して敷設される。
【００３２】
前記床基部３に敷設される床仕上板６は、接着、釘打ち、金物等の固定手段で床基部３に固定されている。尚前記固定手段は、例えば接着と釘打ちを併用する等、２以上の固定手段を組合わせることもできる。
【００３３】
このように、床仕上構造１は、木材、合板、パーティクルボード、金属等床下地パネル２を構成する材料の熱、含水率変化による伸縮、反り、又は地震、交通振動その他による建造物躯体の動きに起因した、床下地パネル２の継ぎ部４の段差、隙間等の変位を、その継ぎ部４を覆い、床基部３の表面に接着された前記メッシュテープ５が抑制するため、継ぎ部４を跨りその上に敷設される床仕上板６の曲げ、引張り等応力が抑えられ、割れ、そり、凹凸変形を発生することがない。特に弾力性に乏しい大理石、御影石その他天然石タイル、窯業タイル等無機タイルにおいても割れを生じることがなく、また捨貼合板が不要のため、合板が含有するホルムアルデヒド揮散による住環境への悪影響を排除しえる。
【００３４】
なお、図５に示すように、パネル枠２３の上面に面材２６が添着されない非添着部３９を有する床下地パネル２においては、隣接する床下地パネル２間に前記非添着部３９により形成された凹部４０に目板４１を嵌合固定し、面材２６端部と目板４１からなる継ぎ部４の表面に前記メッシュテープ５を被覆接着する。
【００３５】
なお、図１に示すように、前記布基礎２８の上部の断面Ｌ字の長尺の土台３３を介して、矩形状の壁パネル枠３４の両面に内外装板３５、３６を添設した外壁パネル３７が取付けられ、その内装板３５の下端部に、長尺の巾木３８を設け前記床仕上部７の見切りを形成している。
【００３６】
前記床仕上構造１を形成する床仕上方法は、先ず複数の床下地パネル２を連続敷設し、床基部３を形成する工程を行なう。図１に示すように、布基礎２８のアンカーボルト（図示せず）に取付金具３０を固定し、該固定金具３０に鋼製の大引２９を取り付ける。前記大引２９に床下地パネル２の両端部を載置し、ボルト、取付金具等を用いて固定することにより、複数の床下地パネル２を連続敷設し、水平な床基部３を形成する。
【００３７】
次に、前記床下地パネル２の継ぎ部４覆うメッシュテープ５を、アクリル樹脂系エマルジョン系接着剤等の接着剤で床基部３の表面に接着する。このとき、図３に示すように、前記床基部３の上にメッシュテープ５を、その巾方向の中心が床下地パネル２の継ぎ部４に略重なるように置く。次いで前記メッシュテープ５の上からローラ、スプレー等の塗布具を用いて前記継ぎ部４近傍の床基部３表面に接着剤を塗布し、その後養生時間を経てメッシュテープ５の床基部３表面への接着が完了する。また、メッシュテープ５を床基部３上の継ぎ部４を覆う位置に供給しながら、同時に接着剤塗布ロールで押圧することにより接着することもできる。さらには、継ぎ部４近傍の床基部３表面に接着剤を塗布した後その上にメッシュテープ５を載せ、上から押圧ロール等で押え接着することもできる。
【００３８】
また、本例では、図３に示すように、メッシュテープ５が補強糸８とこれに直交するたて糸９とで形成され、前記補強糸８が前記床下地パネル２の継ぎ部４に直交する方向に配置する。これにより、床下地パネル２間の段差、隙間等の変位をより効果的に抑制しうる。
【００３９】
次に、前記継ぎ部４を含め床基部３上に大理石、御影石その他の複数の床仕上板６を接着、釘打ち、金物等の固定手段により連続して敷設することにより床仕上部７を形成する。また接着により床仕上板６を床基部３に固定する場合は、メッシュテープ５に用いた前記接着剤と同種ものを用いることが好ましい。
【００４０】
このように本発明の床仕上方法では、床下地パネル２の継ぎ部４を覆うメッシュテープ５を床基部３に接着するため、床下地パネル２間の段差、隙間等の変位が抑制され、床仕上板６の割れ、そり、凹凸変形が防止される。さらに捨貼合板が不要のため、住環境を良好に維持でき、しかも施工時に各種誤差等により生じる床下地パネル２間の隙間等を前記メッシュテープ５が覆うため、床仕上板６の敷設作業を容易に行なうことができる。
【図面の簡単な説明】
【００４１】
【図１】本発明の床仕上構造の一形態を例示し、かつ床仕上方法を説明する斜視図である。
【図２】その平面図である。
【図３】メッシュテープを例示する平面図である。
【図４】その拡大斜視図である。
【図５】継ぎ部の異なる実施形態を例示する断面図である。
【図６】従来例を例示する断面図である。
【符号の説明】
【００４２】
１      床仕上構造
２      床下地パネル
３      床基部
４      継ぎ部
５      メッシュテープ
６      床仕上板
７      床仕上部
８      補強糸
９      たて糸
【図１】
2005090050.tif 000003
【図２】
2005090050.tif 000004
【図３】
2005090050.tif 000005
【図４】
2005090050.tif 000006
【図５】
2005090050.tif 000007
【図６】
2005090050.tif 000008